(57)【特許請求の範囲】
【請求項１】
自走式車輌の車内空間の前部から後部に向けて、車輌の運転席室と、歯科用レントゲン装置による撮像データの入出力及びそのデータ処理等を行なうパソコンを設置しており且つ車輌側方の出入口に通じる通路を兼ねた歯科医師等の作業室と、歯科用レントゲン装置を備えたレントゲン室とを有し、作業室とレントゲン室と車輌の後端の出入口とは扉の開放により人の移動を可能としており、
レントゲン装置の主要部であるヘッド部は、ヘッドアームにＸ線照射部、撮影部、患者位置付け部、操作スイッチ類等が備えられて成り、当該ヘッド部は、レントゲン室の上方から吊り下げ部材を介して支持されて、撮影位置からレントゲン室内の片側方の格納位置まで移動自在であることを特徴とする歯科用小型レントゲン車。
【請求項２】
患者の歯の重なり合いが少なく見えるようにパノラマ撮影する２次元の撮影、歯並びを立体画像で撮影する３次元の撮影、歯並びを顎の動きと共に動画で撮影する４次元の撮影、クロス断層撮影のいずれか又は複数の撮影機能を有する歯科用レントゲン装置が用いられている請求項１に記載の歯科用小型レントゲン車。
【請求項３】
ヘッド部が、レントゲン室の天井又は天井近くの片側壁面から吊り下げ部材であり基部側と先端部に回動部分を有する回動アームを介して支持されている請求項１又は２に記載の歯科用小型レントゲン車。
【請求項４】
回動アームの基部が、レントゲン室の天井又は天井近くの片側壁面に設けられているガイドレールに沿って走行する走行体を設けた支持部材に、水平回転自在に支持されている請求項３に記載の歯科用小型レントゲン車。
【請求項５】
ヘッド部が、レントゲン室の天井又は天井近くに左右方向に設けたガイドレールに、吊り下げ部材を介して水平回転自在に支持されている請求項１又は２に記載の歯科用小型レントゲン車。
【請求項６】
ヘッド部が、吊り下げ部材に対して上下移動自在に支持されている請求項１ないし５のいずれかに記載の歯科用小型レントゲン車。
【請求項７】
ヘッド部の上下移動が、吊り下げ部材に設けたシリンダの進退移動により、又はリール式ワイヤ装置の巻き上げ力に介助されることにより、ヘッド部の重量負担を軽減させて行われている請求項６に記載の歯科用小型レントゲン車。
【請求項８】
ヘッド部の格納が、ヘッド部が格納できる大きさを有し且つ側方に開口を有し、内部にヘッド部の概略形状に対応した凹部が形成された緩衝材を有する格納ケースの開口からその内部に移動させ、格納後に蓋を閉じることにより或いはベルトを用いて開口から押えることにより行われ、格納ケースは、ヘッド部の格納位置に免振された状態で保持可能であり、又は固定されている請求項１ないし７のいずれかに記載の歯科用小型レントゲン車。
【請求項９】
ヘッド部の格納位置をレントゲン室の一方の片側に設定し、レントゲン装置を駆動させるために必要な安定高圧電圧を得る発電機及び／又は負荷均衡二次蓄電池をレントゲン装置の他方の片側に設置して、車輌の左右の重量バランスを安定させた請求項１ないし８のいずれかに記載の歯科用小型レントゲン車。
【発明の詳細な説明】
【０００１】
【発明の属する技術分野】
本発明は、マイクロバス又はワンボックスカーをベースにして出来ており、レントゲン装置のヘッド部を所望の撮影位置から格納位置まで自由に移動させることができ、車輌の左右の重量バランスが安定した歯科用小型レントゲン車に関する。
【０００２】
【従来の技術】
歯科医師等が患者の歯の検診や治療をするときに使用される装置として、患者の歯並びや肉眼では見えない歯の隠れた部分などをＸ線撮影する歯科用レントゲン装置がある。
従来技術による歯科用レントゲン装置は、基台上から立設した支柱に、支持部材を介してヘッドアームが上下移動可能に支持されており、このヘッドアームにレントゲン装置の主要部であるＸ線照射部、撮影部、患者位置付け部、操作スイッチ類を備えられてヘッド部が構成されており、このヘッド部を、患者の顎の周りに位置させて使用する。そして、この歯科用レントゲン装置は、ヘッド部が支柱に片支持状態で支持されているために、使用中に当該装置が倒れないように、基台を診療室の床面にボルト止めして固定した状態で用いることを前提に設計されていた
そして、最近のレントゲン装置には、撮像をネガフイルムだけでなくメモリチップやパソコンに撮像をデータ入力して、歯科医師がパソコンの画面を通じて患者の歯並びなどを見ることができるものがあり、この種のレントゲン装置は、被検診者や患者の歯の重なり合いが少なく見えるように、パノラマ撮影する２次元の撮影、歯並びを立体画像で撮影する３次元の撮影、歯並びを顎の動きと共に動画で撮影する４次元の撮影、 断層クロス撮影を可能とする高機能のものも出現しており、撮影した画像はパソコンを通じて画像処理も自由に行なえる。
【０００３】
ところで、内科や外科の分野において、Ｘ線写真撮影装置を搭載したレントゲン車を、学校や会社の集団検診（撮影）や巡回検診（撮影）でよく見かける。この他にも、Ｘ線ＣＴ装置やＭＲＩを搭載した大型バスの医療検診車もある。
これに対して、歯科の分野では、歯科用レントゲン装置を必要とする機会が比較的多く、しかも、歯科用レントゲン装置は、Ｘ線ＣＴ装置やＭＲＩほど広い設置場所が必要でなく、また高価格ではないために、主要な歯科医院の多くは歯科用のレントゲン装置の設備を備えている。このため、従来では、歯科用のレントゲン装置を車輌に設備した歯科用レントゲン車は極めて数少なかった。
【０００４】
極めて数少ない台数ながらも現在使用されている歯科用レントゲン車は、室内設置型のレントゲン装置をそのまま搭載した大型車輌であった。具体的には、車輌が大型バスであり、その車内の前部に運転席があり、その後方に歯科医師等の作業室があり、その後方にレントゲン室があり、更にその後方に待合室がある部屋割りになっており、車輌後端部と作業室に出入口が設けられている。そして、レントゲン室の中央辺りの床面に、歯科用レントゲン装置の基台をボルト止めなどにより固定して、車輌の左右方向の重量バランスが片寄らないようにしていた。そして、レントゲン装置のヘッド部は支柱に対して水平方向に移動できない構造になっており、撮影位置周辺は患者のためのスペースが必要であり、レントゲン室と作業室とを、扉を開けて看護婦等が出入りする余裕も必要であるため、広い室内をもつ大型車輌でなければ対応できなかったわけである。
【０００５】
ところで、車輌走行中にはレントゲン装置、特にそのヘッド部が振動を受け易いが、従来ではその免振対策については、殆ど考慮されておらず、ヘッド部の一部が回転しないようにベルトで固定する程度であった。
【０００６】
【発明が解決しようとする課題】
しかしながら、上述した歯科用レントゲン車では、次ぎのような不具合があった。
先ず、歯科用レントゲン車が大型バスをベースにしているために生じる不具合として、大型バスは歯科医師や助手などの多くがもっている普通自動車の運転免許では運転できない点が挙げられる。また、大型車輌では、狭い道の進入や路上駐車が難しく、駐車して診療を開始するためには、広い駐車場、特に大型バスが駐車できる駐車場や空地が必要であるという大きな制限があることが挙げられる。また、大型バスをベースにしているために、歯科用レントゲン車が高価であることも挙げることができる。また、精密機器に対応したエアサスペンションが必要であった。
【０００７】
本発明者は、今後の歯科医療や歯科検診をさらに普及させるためには、歯科用のレントゲン車、特に普通自動車の運転免許で運転でき、比較的安価にして購入できるマイクロバスやワンボックスカーをベースにした小型レントゲン車が必要あると感じ、これについての開発を行なった。そして、その後における鋭意・検討の結果、ついに本発明の歯科用小型レントゲン車を発明するに至った。
【０００８】
このような経緯を経て完成するに至った本発明は、マイクロバス又はワンボックスカーをベースにした小型車輌をベースにすることによって、運転し易く、狭い道の進入や一般の駐車場などに駐車して利用できるなど機動力に富み、レントゲン装置のヘッド部を自由に移動させることができ、しかもこのヘッド部の免振対策が十分になされており、走行中における左右の重量バランスが良く、購入コスト及び維持コスト並びに稼働コストを安価に済ますことができ、駐車料金も不要な歯科用小型レントゲン車を提供することを課題とする。
【０００９】
【課題を解決するための手段】
以上の課題を解決するための手段として挙げられる請求項１に記載の発明は、自走式車輌の車内空間の前部から後部に向けて、車輌の運転席室と、歯科用レントゲン装置による撮像データの入出力及びそのデータ処理等を行なうパソコンを設置しており且つ車輌側方の出入口に通じる通路を兼ねた歯科医師等の作業室と、歯科用レントゲン装置を備えたレントゲン室とを有し、作業室とレントゲン室と車輌の後端の出入口とは扉の開放により人の移動を可能としており、レントゲン装置の主要部であるヘッド部は、ヘッドアームにＸ線照射部、撮影部、患者位置付け部、操作スイッチ類等が備えられて成り、当該ヘッド部は、レントゲン室の上方から吊り下げ部材を介して支持されて、撮影位置からレントゲン室内の片側方の格納位置まで移動自在であることを特徴とする歯科用小型レントゲン車である。
【００１０】
このような構成をもつ歯科用小型レントゲン車にすると、マイクロバスやワンボックスカーをベースにすることができ、普通自動車の運転免許をもつ殆どの歯科医師や助手が運転でき、狭い道の進入や一般の駐車場や狭い空地に駐車して歯科診療ができるようになる。しかも、本発明のレントゲン装置は支柱を持たない吊り下げ構造になっており、その主要部であるヘッド部を患者の背丈や姿勢に合わせた位置に自由に移動させることができ、歯科医師や看護婦等がレントゲン室から作業室に行き来するときにも邪魔にならない。また、ヘッド部を移動させて免振対策が施された格納ケース内に格納した上で、車輌を走行させることができるため、走行中に発生する振動からヘッド部を守ることができる。
【００１１】
請求項に２に記載の発明は、請求項１に記載の構成において、患者の歯の重なり合いが少なく見えるようにパノラマ撮影する２次元の撮影、歯並びを立体画像で撮影する３次元の撮影、歯並びを顎の動きと共に動画で撮影する４次元の撮影、クロス断層撮影のいずれか又は複数の撮影機能を有する歯科用レントゲン装置が用いられている歯科用小型レントゲン車である。
【００１２】
請求項１に記載の発明では、どのような種類の撮影が行なわれる歯科用レントゲン装置を搭載しているのかについては言及していないが、この請求項２に記載の発明では、上述した２次元の撮影、３次元の撮影、４次元の撮影、クロス断層撮影のいずれか又は複数の撮影ができる歯科用レントゲン装置が搭載されていることを具体的に特定した。これらの撮影による撮像はデジタル化されて、メモリチップやパソコンに入力可能なデータになり、パソコンに接続されているディスプレイに画像となって表示され、また、歯科医師はこの画像を自由に加工できる。
このように各種の撮影ができると、歯科医師は患者の歯や歯並び、更にはその周りの骨格構造を、最適の角度で自由に見ることができるようになる。
【００１３】
請求項３に記載の発明は、請求項１又は２に記載の構成に加えて、ヘッド部が、レントゲン室の天井又は天井近くの片側壁面から吊り下げ部材であり基部側と先端部に回動部分を有する回動アームを介して支持されている歯科用小型レントゲン車
【００１４】
この請求項３に記載の発明では、ヘッド部の支持が回動アームによって行われていることを特定しており、この回動アームの先端部にヘッド部を支持させると、ヘッド部を手で持って診療する位置に自由に移動させることができ、また、格納位置まで移動させることができるようになる。
【００１５】
請求項４に記載の発明は、請求項３に記載の構成に加えて、回動アームの基部が、レントゲン室の天井又は天井近くの片側壁面に設けられているガイドレールに沿って走行する走行体を設けた支持部材に、水平回転自在に支持されている歯科用小型レントゲン車である。
【００１６】
このように回動アームの基部をカイドレールに沿って移動できるように支持させると、ヘッド部の移動範囲が広くなり、しかもヘッド部を最適な診療位置に合わせることができ、また格納位置まで移動させて格納できるようになる。
【００１７】
請求項５に記載の発明は、請求項１又は２に記載の構成に加えて、ヘッド部が、レントゲン室の天井又は天井近くに左右方向に設けたガイドレールに、吊り下げ部材を介して水平回転自在に支持されている歯科用小型レントゲン車である。
【００１８】
この請求項５に記載の発明では、ヘッド部の支持構造が請求項３及び４に記載のものと異なり、ガイドレールをレントゲン室の天井又は天井近くに左右に設け、このガイドレールから吊り下げ部材を介してヘッド部を左右方向に移動自在に吊下げた。そして、このヘッド部を支持部材に対して水平回転できるように構成した。このようにすると、ヘッド部を横方向に移動させるだけで診察位置から格納位置まで移動させることができる。また、ヘッド部を水平回転させることにより患者の向きを自由に設定することができるようになる。
【００１９】
請求項６に記載の発明は、請求項１ないし５に記載の構成に加えて、ヘッド部が、吊り下げ部材に対して上下移動自在に支持されている歯科用小型レントゲン車である。
【００２０】
このようにヘッド部を吊り下げ部材に対して上下移動自在に支持させると、ヘッド部を患者の背丈や姿勢に合った位置に移動させることができるため、子供から大人更には高齢者や障害者を、椅子を上下移動させることなくそのままの姿勢診療することができるようになる。ヘッド部を上下移動させる構造については、必ずしも限定されるものではないが、例えば、操作ハンドルで上下高さの係止でできるシリンダ構造によるもの、操作ハンドルで上下高さの係止と調整ができるラックとピニオン構造によるものを挙げることができる。
【００２１】
請求項７に記載の発明は、請求項６に記載の構成に加えて、ヘッド部の上下移動が、吊り下げ部材に設けたシリンダの進退移動により、又はリール式ワイヤ装置の巻き上げ力に介助されることにより、ヘッド部の重量負担を軽減させて行われている歯科用小型レントゲン車である。
【００２２】
この請求項７に記載の発明では、ヘッド部が比較的重量物であるために、ヘッド部を手で持って上下移動させるときの重量負担を軽減させ、ヘッド部を所望の高さに移動させたときにヘッド部が自重で降下しないように、シリンダ自体の付勢力やリール式ワイヤ装置の巻き上げ力（引き戻し力又は係止）によって介助させてある。
【００２３】
請求項８に記載の発明は、請求項１ないし７に記載の構成に加えて、ヘッド部の格納が、ヘッド部が格納できる大きさを有し且つ側方に開口を有し、内部にヘッド部の概略形状に対応した凹部が形成された緩衝材を有する格納ケースの開口からその内部に移動させ、格納後に蓋を閉じることにより或いはベルトを用いて開口から押えることにより行われ、格納ケースは、ヘッド部の格納位置に免振された状態で保持可能であり、又は固定されている歯科用小型レントゲン車である。
【００２４】
この請求項８に記載の発明では、ヘッド部を免振させる点を加えた点に大きな特徴があり、このようにヘッド部を格納ケースに入れ、この格納ケース自体も免振させることにより、車輌の走行中に発生する振動からヘッド部を守り、ヘッド部のガタ付きや故障を無くすことができるようになる。
【００２５】
請求項９に記載の発明は、請求項１ないし８に記載の構成に加えて、ヘッド部の格納位置をレントゲン室の一方の片側に設定し、レントゲン装置を駆動させるために必要な安定高圧電圧を得る発電機及び／又は負荷均衡二次蓄電池をレントゲン装置の他方の片側に設置して、車輌の左右の重量バランスを安定させた歯科用小型レントゲン車である。
【００２６】
このようにレントゲン室に左右対向する位置に、レントゲン装置の格納位置と、発電機及び／又は負荷均衡二次蓄電池の設置位置を設定すると、車輌の左右の重量バランスが安定し、運転し易く安全な走行ができるようになる。
【００２７】
【発明の実施の形態】
以下、本発明の歯科用小型レントゲン車を２種の実施の形態を挙げて添付図面に沿って詳述する。
先ず、第１実施形態の歯科用小型レントゲン車について図１、図２を参照して説明する。
これら各図に示す本発明の１実施形態の歯科用小型レントゲン車（以下、第１実施形態のレントゲン車と略称する）１Ａの車体２は、救急車やキャンピングカー或いは配送車などに使われているいわゆる大型ワンボックスカーと同じ車台が用いられている。この車体２の車内空間の前部には運転席３と助手席４を備えた運転席室５を有し、カーテン６で仕切られた後方には歯科医師等の作業室７を有し、隔壁８と扉９で仕切られた更にその後方にはレントゲン室１０を有し、カーテン１１で仕切られた後方には観音開きの扉１２，１２を設けた患者等の出入口１３を有する。
【００２８】
レントゲン室１０の一方の側壁１３における上部箇所には、２連式のガイドレール１４が前後方向に固定されており、このガイドレール１４には走行体１５を介して支持部材１６が前後方向に移動自在に備えられている。
そして、この支持部材１６の前端には、旋回アーム１７の基部が水平旋回自在な状態で支持されており、この旋回アーム１７の先端には、歯科用レントゲン装置の主要部を構成しているヘッド部１８がシリンダ１９を介して上下進退自在且つ水平回転自在に備えられている。
【００２９】
このヘッド部１８は、略逆Ｕ形状のヘッドアーム部分１９と横Ｕ形状のヘッドアーム部分２０を水平回転自在に組み付けたヘッドアーム２１に、Ｘ線照射部、撮影部、患者位置付け部、操作スイッチ類等が備えられて成る。詳しくは、ヘッドアーム部分１９の一方の片側にＸ線照射部を有し他方の片側に撮影部を有し、操作スイッチ類はこのヘッドアーム部分１０の適所に有する。患者位置付け部はヘッドアーム部分２０の下側前方に上方に向けて突出された２本のパイプ２０ｃ，２０ｃで構成されている。図示していないが、患者はこのパイプ２０ｃ，２０ｃに顔の両側を添え、この状態でレントゲン撮影する。図示していないが、ヘッド部１８とパソコン２３、及びヘッド部１８と電気線は、撓ませた信号線で接続されている。
【００３０】
ヘッド部１８は、患者の歯の重なり合いが少なく見えるようにＸ線でパノラマ撮影する２次元の撮影、歯並びを立体画像で撮影する３次元の撮影、歯並びを顎の動きと共に動画で撮影する４次元の撮影、クロス断層撮影のいずれか又は複数の撮影機能を有しており、これらいずれの撮影を行なうかは歯科医師の判断による。ヘッド部１８によって撮影された患者の歯及びその周辺の撮像は、デジタル信号に変換されてメモリチップやパソコンに入力される。
このために歯科医師等の作業室７には、パソコン２３とキーボード２４とディスプレイ２５からなるパソコンセット２６がテーブル２７上に設置されている。このテーブル２７やパソコンセット２６は、車輌の走行時に発生する振動から守るために、緩衝材を介したボルト止めやベルト固定によって、免振対策と、ズレや移動防止対策が施されている。なお、図示していないが、プリンタを設けることも可能である。
【００３１】
作業室７には、歯科医の座席２７と、看護婦や助手が座る折り畳み式の席２９，２９が設置されており、この作業室７は、歯科医師や看護婦や助手の着替え室にもなる。この作業室７の片側側方には、スライドドア３０を設けた出入口３１が設けられている。
【００３２】
図１及び図２は、ヘッド部１８は使用状態、すわなち、患者を診断できるように引き出した状態で示しており、患者は後方の出入口１３からレントゲン室１０内に入って、レントゲン撮影後、この後方の出入口１３から出る。図示していなが、撮影位置の床には患者が座る座席が設けられている。レントゲン撮影は、レントゲン室７の前方の扉９を閉じ、後方のカーテン１１を閉じた状態にして行われ、このカーテン１１や前記隔壁８や扉９は、鉛板が内装されており、度重なる撮影によってもＸ線を透過しないようにしてある。なお、このカーテン１１は上下に長く形成した板材を連結させた折り畳み式のもので構成すると、尚良い。
【００３３】
図３はヘッド部を格納した状態で示した歯科用小型レントゲン車の概略側面断面図であり、図４は同じく平面断面図で示している。
図１及び図２を対比しつつ図３、図４に示すように、ヘッド部１８は、ガイドレール１４を固定している側の側壁３３の近傍箇所に、格納して固定できるようにしてある。このために、この側壁３３の近傍箇所には、緩衝クッションゴム又は発泡ゴムで形成された緩衝材３４が側壁３３の側部と収納台３４の上部に固定されており、この緩衝材３４にヘッド部１８を格納する格納ケース３６が支持されている。
【００３４】
この格納ケース３６内にヘッド部１８を格納するときには、略逆Ｕ形状のヘッドアーム部分１９と横Ｕ形状のヘッドアーム部分２０の向きを揃えてコンパクトな形状にし、ヘッド部１８を手で持って旋回アーム１７を水平回転させながら、支持部材１６をガイドレール１４に沿って移動させながら、ヘッド部１８を格納ケース３６内に近づける。
【００３５】
そして、図５に示すように、格納ケース３６の前面を覆っている蓋３７を開けて、ヘッド部１８全体をこの格納ケース３６内に入れ、蝶番で支持されている蓋３６を閉じると、ヘッド部１８の格納と固定が行われる。格納ケース３６内と蓋３６の内側には、ヘッド部１８の形状に対応した凹部が形成された緩衝材３８が固定されている。
このようにすると、車輌の走行時に受ける振動からヘッド部１８を免振させることができる。
【００３６】
このようにしてヘッド部１８を車輌の片側に寄せると、車輌の左右の重量バランスを欠くので、図１ないし図４に示すように、レントゲン装置の撮影に必要な安定高圧電源を供給する発電機４０と負荷均衡二次蓄電池４１を、ヘッド部１８を固定している側の側壁３３に対向する側の車輌側壁４２近傍の下方に設けた空間内に設置して、左右の重量バランスを安定させた状態で運転走行できるようにしてある。
【００３７】
なお、図示していないが、後方の出入口１３の位置が高い位置にあるために、患者の出入りが困難であるが、これには、踏み台を出入口前１３に設置したり、出入口１３近傍箇所に昇降リフトを設備することによって対応させることができる。
【００３８】
次に第２実施形態の歯科用小型レントゲン車について図６、図７を参照して説明する。
この第２実施形態の歯科用小型レントゲン車（以下、第２実施形態のレントゲン車と略称する）１Ｂは、ヘッド部１８の支持構造が異なるだけで、後は前述した第１実施形態のレントゲン車と同じ構造を有する。
この第２実施形態のレントゲン車1Bでは、ガイドレール１４Ａがレントゲン室１０の天井近くのフレームに固定させて左右方向に設けられており、このガイドレール１４Ａには走行体５０を介して吊り下げ部材５１が支持されており、この吊下部材５１に固定されているシリンダ５２の先端部（下端部）にヘッド部１８が支持されている。ヘッド部１８は上述した第１実施形態のレントゲン車1Ａで用いられているヘッド１８と同じものである。
【００３９】
このようにヘッド部１８をガイドレール１４Ａに沿って左右方向に移動させることができ、しかも上下の移動ができると、ヘッド部１８を所望の検診位置まで自由に移動させることができ、また、レントゲン室１０の側方に移動させて格納することができる。なお、シリンダ５２を水平方向に回転自在な構造にしたり、又はヘッド部１８をシリンダ５２に対して水平回転自在に支持させたり、或いはシリンダ５２を吊り下げ部材５１に対して水平回転自在に支持させることによって、ヘッド部１８を横向きにして診察することも可能である。
【００４０】
【発明の効果】
以上、説明した本発明に係る歯科用小型レントゲン車は、従来の歯科用レントゲン車よりも小型の車輌であるワンポックスカーやマイクロバスをベースにして製作することができ、このため、製作コストを格段に抑えることができ、維持コストも安価にすることができる。
また、その使用においても、従来のように大型運転免許を必要せず、歯科医師や助手の多くが持っている普通免許で運転することができ、また６メートル基準以下の狭い道でも進入でき、一般の駐車場や狭い空地でも駐車できるので、機動力が増し、安心して駐車できる。
【００４１】
また、本発明に係る歯科用小型レントゲン車は、車輌走行時には、レントゲン装置の主要部をレントゲン室の片隅に寄せて免振させた状態で固定することができるので、振動に敏感な精密装置であるヘッド部を振動から免振させることができる。
【００４２】
また、このようにヘッド部を所望の診察位置に移動させることができ、更には診察をしない時や走行時にはヘッド部を移動させてレントゲン室の片隅に格納することができるので、従来の歯科用レントゲン車よりもレントゲン室を狭くても十分機能させることができる。そして、レントゲン検診の終了後や休憩中には、レントゲン室を、例えば、着替え室や休憩室、荷物室などとして、有効に利用することができる。
【００４３】
さらに、本発明に係る歯科用小型レントゲン車は、レントゲン室の一方の片側にヘッド部を固定させて格納し、その反対側に発電機や負荷均衡二次蓄電池を位置させることができたので、車輌の左右の重量バランスを安定させた状態で、運転走行させることができる。このために、運転がし易く、特に、高速走行時には車輌の安定性が良い。しかも、車輌やタイヤなどに偏荷重が加わらないので、車輌の耐久性も良くなる。
【図面の簡単な説明】
【図１】第１実施形態の歯科用小型レントゲン車の概略側面断面図である。
【図２】同じく概略平面断面図である。
【図３】ヘッド部を格納した状態で示した歯科用小型レントゲン車の概略側面断面図である。
【図４】同じく概略平面断面図である。
【図５】ヘッド部をヘッド部格納ケースに格納する状態を前方から見た概略図である。
【図６】第２実施形態の歯科用小型レントゲン車の概略側面断面図である。
【図７】同じく概略平面断面図である。
【符号の説明】
１Ａ，１Ｂ    歯科用小型レントゲン車
２    車体
３    運転席
５    運転席室
７    作業室
９    扉
１０    レントゲン室
１４，１４Ａ    ガイドレール
１６    支持部材
１７    回動アーム
１８    ヘッド部
１９    シリンダ
３４    緩衝材
３６    格納ケース
３７    蓋
４０    発電機
４１    負荷均衡二次蓄電池
【図１】
0003727607.tif 000002
【図２】
0003727607.tif 000003
【図３】
0003727607.tif 000004
【図４】
0003727607.tif 000005
【図５】
0003727607.tif 000006
【図６】
0003727607.tif 000007
【図７】
0003727607.tif 000008